(57)【要約】【課題】本発明は織物乾燥装置を開示した。【解決手段】装置基盤を含み、右側の第一軸体が第二傘歯車を回転連動させ、第二傘歯車が噛合によって第三傘歯車と第一回転軸とを回転連動させ、第一回転軸が第二歯車を回転連動させ、作動動力がモータによって提供され、セーターの上部を第一回転装置に掛け、下部を第二回転装置によって支え、セーターに含まれる水分の重力によってセーターが下へ引っ張られて変形することを防止し、乾燥する時、セーターが絶えずに回転すると同時に振り続き、乾燥過程中にセーターが固くなることを防止し、乾燥後のセーターが変形しない上に、柔らかくて、乾燥時間も短く、宣伝価値がある。【選択図】図１
2020157027.tif 000002
【特許請求の範囲】
【請求項１】
装置基盤を含み、前記装置基盤の底部端面には支持脚が設けられ、前記装置基盤の中には乾燥チャンバが設けられ、前記乾燥チャンバの下方には伝動駆動部品が設けられ、前記伝動駆動部品が駆動動力を提供するモータを含み、前記モータの右側には底部伝動装置が設けられ、前記底部伝動装置が第一伝動チャンバと、前記第一伝動チャンバの中に位置する第一基盤とを含み、前記第一基盤の底部端面には回転スリーブと、固定回転チャンバと第一歯車が設けられ、前記第一基盤の中にはスライド伝動部品が設けられ、前記スライド伝動部品が前記固定回転チャンバの中に位置する固定盤を含み、前記固定盤の底部端面には前記回転スリーブと回転できるように接続される固定スリーブが設けられ、前記第一基盤の頂端にはスライドブロックがスライドできるように取付けられ、前記乾燥チャンバの中には回転装置が設けられ、前記回転装置は上方の第一回転装置と、前記スライドブロックの頂端に設置される下方の第二回転装置とを含み、前記第一回転装置によってハンガーを引っ掛け、セーターを広げて前記第二回転装置に被せて排水乾燥を行い、前記第一伝動チャンバの右側には加速伝動部品が設けられ、前記乾燥チャンバの右側には風吹き部品が設けられ、前記風吹き部品が四つの同じの加熱チャンバと、前記加熱チャンバの右側に位置する四つの連通した第二伝動チャンバとを含み、前記風吹き部品の動力を前記加速伝動部品が提供し、前記加速伝動部品と前記底部伝動装置の動力を前記伝動駆動部品が提供し、前記伝動駆動部品がまた前記回転装置に動力を提供することを特徴とする織物乾燥装置。
【請求項２】
前記伝動駆動部品は右伝動チャンバを含み、前記モータの左側には左伝動チャンバが設けられ、前記モータの左右両側の出力軸には第一軸体が接続され、左側の前記第一軸体が第一傘歯車と接続され、右側の前記第一軸体が第二傘歯車と接続され、前記右伝動チャンバの底壁の中には第一回転軸が回転できるように取付けられ、前記第一回転軸には前記第二傘歯車と噛み合う第三傘歯車が設けられ、前記第一回転軸には第二歯車が設けられ、前記乾燥チャンバの中には上伝動チャンバが設けられ、前記上伝動チャンバと前記左伝動チャンバとの間には第二回転軸が回転できるように取付けられ、前記第二回転軸の底部端面には前記第一傘歯車と噛み合う下傘歯車が設けられ、前記第二回転軸の頂端にはトップ傘歯車が設けられ、前記上伝動チャンバの右側には上回転チャンバが設けられ、前記上回転チャンバと前記上伝動チャンバとの間には第二軸体が回転できるように取付けられ、前記第二軸体の左端面には前記トップ傘歯車と噛み合う左傘歯車が設けられ、前記第二軸体の右端には右傘歯車が設けられ、前記底部伝動装置が下伝動チャンバを含み、前記下伝動チャンバの底壁には第二基盤が設けられ、前記第二基盤の頂端には第一ボールがスライドできるように取付けられ、前記回転スリーブの外端には前記第二歯車と噛み合う第一リングギヤが設けられ、前記回転スリーブの頂端には第一基盤が設けられ、前記第一伝動チャンバの底壁には前記第一基盤と回転できるように係合される第二ボールがスライドできるように取付けられ、前記第一伝動チャンバの内壁の中には環状溝が設けられ、前記固定回転チャンバの上下壁の間には左右対称の第三軸体が回転できるように取付けられ、前記第一基盤の外端には前記環状溝の中で回転する第二リングギヤが設けられ、前記スライド伝動部品が前記固定スリーブの中に位置する上下に貫通した第一通路を含み、前記固定スリーブが前記回転スリーブと回転できるように係合され、前記第一通路の末端には排水導管が密封して取付けられ、前記固定盤が前記固定スリーブの頂端に位置し、前記固定盤の外側には前記第一歯車と噛み合える外リングギヤが一つ設けられ、前記固定盤の中には上方に開口した排水溝が設けられ、前記排水溝の底壁には前記第一通路と連通する排水穴が設けられ、前記第一歯車の上方には二つの第三伝動チャンバが左右対称的に設けられ、前記第三軸体が上へ前記第三伝動チャンバの中に入り、前記第三伝動チャンバの上下壁の間には第四軸体が回転できるように取付けられ、前記第四軸体と前記第三軸体の間にはベルトが伝動できるように取付けられ、前記第四軸体には第三歯車が設けられ、前記第一伝動チャンバの頂壁には前記乾燥チャンバと連通する移動溝口が設けられ、前記スライドブロックの左右両側の端面には前記第三歯車と噛み合うラックが設けられ、前記スライドブロックの底壁には前記第一基盤とスライドできるように係合されるスライド案内ブロックが左右対称のように設けられ、前記スライドブロックの中には前記排水穴と連通する排水通し溝が上下に貫通して設けられ、これにより底部の動力を上又は右へ伝達でき、右側の動力を第一基盤の回転する動力に転換し、第一基盤の動力をスライドブロックの往復運動の動力に転換することを特徴とする請求項１に記載の織物乾燥装置。
【請求項３】
前記回転装置の中の前記第一回転装置は前記上回転チャンバの底壁に回転できるように取付けられ、且つ前記乾燥チャンバの頂壁を貫通する上回転軸を含み、前記上回転軸の頂端には前記右傘歯車と噛み合う上傘歯車が設けられ、前記上回転軸の底部端面には鉤回転ブロックが設けられ、前記鉤回転ブロックの底部端面には鉤が設けられ、前記回転装置の中の前記第二回転装置は前記スライドブロックの頂端に設けられる排水スリーブを含み、前記排水スリーブの頂端には排水ブロックが設けられ、前記排水ブロックの中には上方に開口した排水チャンバが設けられ、前記排水ブロックの外側には固定板が設けられ、前記固定板の外側には固定支持板が設けられ、前記固定支持板のところには濾過網スリーブが設けられ、前記固定支持板の外端には水遮り環状ブロックが設けられ、前記排水チャンバの内壁の中には前記水遮り環状ブロックの内部チャンバと連通する排水穴が設けられ、前記排水スリーブの中には前記排水チャンバと前記排水通し溝と連通する第二通路が設けられ、これによりセーターを回転連動させ、均一に乾燥することを特徴とする請求項１に記載の織物乾燥装置。
【請求項４】
前記加速伝動部品は、前記環状溝の右側に位置し、且つ前記環状溝と連通する第一加速チャンバを含み、前記第一加速チャンバの下方には第二加速チャンバが設けられ、前記第二加速チャンバの底壁の中には第三回転軸が回転できるように取付けられ、前記第三回転軸には前記第二リングギヤと噛み合う第四歯車が設けられ、前記第三回転軸には第五歯車が設けられ、前記第二加速チャンバの底壁の中に第四回転軸が回転できるように取付けられ、前記第四回転軸には前記第五歯車と噛み合う第六歯車が設けられ、前記第四回転軸の頂端には第四傘歯車が設けられ、前記第二加速チャンバの右側には第四伝動チャンバが設けられ、前記第四伝動チャンバの右側壁の中には前記第二加速チャンバの中に挿入される第五回転軸が回転できるように取付けられ、前記第五回転軸の左端面には前記第四傘歯車と噛み合う第五傘歯車が設けられ、前記第五回転軸において前記第四伝動チャンバの中には鎖歯車が設けられることを特徴とする請求項１に記載の織物乾燥装置。
【請求項５】
前記風吹き部品は前記加熱チャンバの上下壁の間に設置される加熱パイプを含み、前記第二伝動チャンバの右側壁の中には羽根軸が回転できるように取付けられ、前記羽根軸には羽根が設けられ、最底部の前記羽根軸と前記鎖歯車との間には第一チェーンが伝動できるように取付けられ、隣り合う前記羽根軸の間には第二チェーンが伝動できるように取付けられ、前記第二伝動チャンバの右側壁には前記装置基盤の右端を貫通する空気入口が設けられ、前記乾燥チャンバの左側壁には前記装置基盤の左端面を貫通する空気出口が前後対称のように設けられ、底部の前記空気入口の底壁の中には上へ前記装置基盤の頂端を貫通する濾過溝が設けられ、前記濾過溝の中には濾過網がスライドできるように取付けられることを特徴とする請求項１に記載の織物乾燥装置。
【発明の詳細な説明】
【技術分野】
【０００１】
本発明はセーター乾燥技術分野に関し、具体的には織物乾燥装置である。
【背景技術】
【０００２】
セーターは洗濯した後に、洗濯機の遠心脱水による極大な遠心力によって変形することがよくあり、またひたすら力を入れて絞ったらセーターが変形してしまうこともあり、自然乾燥を採用する場合、水の重力により伸ばされて結局やはり変形して着られなくなる。
【先行技術文献】
【特許文献】
【０００３】
【特許文献１】中国特許出願公開第１０８９８１３５１号明細書
【発明の概要】
【発明が解決しようとする課題】
【０００４】
本発明の目的は織物乾燥装置を提供し、それは上記の現在の技術中の問題を解決できる。
【課題を解決するための手段】
【０００５】
本発明は以下の技術プランを通じて実現する：本発明の織物乾燥装置は、装置基盤を含み、前記装置基盤の底部端面には支持脚が設けられ、前記装置基盤の中には乾燥チャンバが設けられ、前記乾燥チャンバの下方には伝動駆動部品が設けられ、前記伝動駆動部品が駆動動力を提供するモータを含み、前記モータの右側には底部伝動装置が設けられ、前記底部伝動装置が第一伝動チャンバと、前記第一伝動チャンバの中に位置する第一基盤とを含み、前記第一基盤の底部端面には回転スリーブと、固定回転チャンバと第一歯車が設けられ、前記第一基盤の中にはスライド伝動部品が設けられ、前記スライド伝動部品が前記固定回転チャンバの中に位置する固定盤を含み、前記固定盤の底部端面には前記回転スリーブと回転できるように接続される固定スリーブが設けられ、前記第一基盤の頂端にはスライドブロックがスライドできるように取付けられ、前記乾燥チャンバの中には回転装置が設けられ、前記回転装置は上方の第一回転装置と、前記スライドブロックの頂端に設置される下方の第二回転装置とを含み、前記第一回転装置によってハンガーを引っ掛け、セーターを広げて前記第二回転装置に被せて排水乾燥を行い、前記第一伝動チャンバの右側には加速伝動部品が設けられ、前記乾燥チャンバの右側には風吹き部品が設けられ、前記風吹き部品が四つの同じの加熱チャンバと、前記加熱チャンバの右側に位置する四つの連通した第二伝動チャンバとを含み、前記風吹き部品の動力を前記加速伝動部品が提供し、前記加速伝動部品と前記底部伝動装置の動力を前記伝動駆動部品が提供し、前記伝動駆動部品がまた前記回転装置に動力を提供する。
【０００６】
優選的には、前記伝動駆動部品は右伝動チャンバを含み、前記モータの左側には左伝動チャンバが設けられ、前記モータの左右両側の出力軸には第一軸体が接続され、左側の前記第一軸体が第一傘歯車と接続され、右側の前記第一軸体が第二傘歯車と接続され、前記右伝動チャンバの底壁の中には第一回転軸が回転できるように取付けられ、前記第一回転軸には前記第二傘歯車と噛み合う第三傘歯車が設けられ、前記第一回転軸には第二歯車が設けられ、前記乾燥チャンバの中には上伝動チャンバが設けられ、前記上伝動チャンバと前記左伝動チャンバとの間には第二回転軸が回転できるように取付けられ、前記第二回転軸の底部端面には前記第一傘歯車と噛み合う下傘歯車が設けられ、前記第二回転軸の頂端にはトップ傘歯車が設けられ、前記上伝動チャンバの右側には上回転チャンバが設けられ、前記上回転チャンバと前記上伝動チャンバとの間には第二軸体が回転できるように取付けられ、前記第二軸体の左端面には前記トップ傘歯車と噛み合う左傘歯車が設けられ、前記第二軸体の右端には右傘歯車が設けられ、前記底部伝動装置が下伝動チャンバを含み、前記下伝動チャンバの底壁には第二基盤が設けられ、前記第二基盤の頂端には第一ボールがスライドできるように取付けられ、前記回転スリーブの外端には前記第二歯車と噛み合う第一リングギヤが設けられ、前記回転スリーブの頂端には第一基盤が設けられ、前記第一伝動チャンバの底壁には前記第一基盤と回転できるように係合される第二ボールがスライドできるように取付けられ、前記第一伝動チャンバの内壁の中には環状溝が設けられ、前記固定回転チャンバの上下壁の間には左右対称の第三軸体が回転できるように取付けられ、前記第一基盤の外端には前記環状溝の中で回転する第二リングギヤが設けられ、前記スライド伝動部品が前記固定スリーブの中に位置する上下に貫通した第一通路を含み、前記固定スリーブが前記回転スリーブと回転できるように係合され、前記第一通路の末端には排水導管が密封して取付けられ、前記固定盤が前記固定スリーブの頂端に位置し、前記固定盤の外側には前記第一歯車と噛み合える外リングギヤが一つ設けられ、前記固定盤の中には上方に開口した排水溝が設けられ、前記排水溝の底壁には前記第一通路と連通する排水穴が設けられ、前記第一歯車の上方には二つの第三伝動チャンバが左右対称的に設けられ、前記第三軸体が上へ前記第三伝動チャンバの中に入り、前記第三伝動チャンバの上下壁の間には第四軸体が回転できるように取付けられ、前記第四軸体と前記第三軸体の間にはベルトが伝動できるように取付けられ、前記第四軸体には第三歯車が設けられ、前記第一伝動チャンバの頂壁には前記乾燥チャンバと連通する移動溝口が設けられ、前記スライドブロックの左右両側の端面には前記第三歯車と噛み合うラックが設けられ、前記スライドブロックの底壁には前記第一基盤とスライドできるように係合されるスライド案内ブロックが左右対称のように設けられ、前記スライドブロックの中には前記排水穴と連通する排水通し溝が上下に貫通して設けられ、これにより底部の動力を上又は右へ伝達でき、右側の動力を第一基盤の回転する動力に転換し、第一基盤の動力をスライドブロックの往復運動の動力に転換する。
【０００７】
優選的には、前記回転装置の中の前記第一回転装置は前記上回転チャンバの底壁に回転できるように取付けられ、且つ前記乾燥チャンバの頂壁を貫通する上回転軸を含み、前記上回転軸の頂端には前記右傘歯車と噛み合う上傘歯車が設けられ、前記上回転軸の底部端面には鉤回転ブロックが設けられ、前記鉤回転ブロックの底部端面には鉤が設けられ、前記回転装置の中の前記第二回転装置は前記スライドブロックの頂端に設けられる排水スリーブを含み、前記排水スリーブの頂端には排水ブロックが設けられ、前記排水ブロックの中には上方に開口した排水チャンバが設けられ、前記排水ブロックの外側には固定板が設けられ、前記固定板の外側には固定支持板が設けられ、前記固定支持板のところには濾過網スリーブが設けられ、前記固定支持板の外端には水遮り環状ブロックが設けられ、前記排水チャンバの内壁の中には前記水遮り環状ブロックの内部チャンバと連通する排水穴が設けられ、前記排水スリーブの中には前記排水チャンバと前記排水通し溝と連通する第二通路が設けられ、これによりセーターを回転連動させ、均一に乾燥する。
【０００８】
前記加速伝動部品は、前記環状溝の右側に位置し、且つ前記環状溝と連通する第一加速チャンバを含み、前記第一加速チャンバの下方には第二加速チャンバが設けられ、前記第二加速チャンバの底壁の中には第三回転軸が回転できるように取付けられ、前記第三回転軸には前記第二リングギヤと噛み合う第四歯車が設けられ、前記第三回転軸には第五歯車が設けられ、前記第二加速チャンバの底壁の中に第四回転軸が回転できるように取付けられ、前記第四回転軸には前記第五歯車と噛み合う第六歯車が設けられ、前記第四回転軸の頂端には第四傘歯車が設けられ、前記第二加速チャンバの右側には第四伝動チャンバが設けられ、前記第四伝動チャンバの右側壁の中には前記第二加速チャンバの中に挿入される第五回転軸が回転できるように取付けられ、前記第五回転軸の左端面には前記第四傘歯車と噛み合う第五傘歯車が設けられ、前記第五回転軸において前記第四伝動チャンバの中には鎖歯車が設けられる。
【０００９】
前記風吹き部品は前記加熱チャンバの上下壁の間に設置される加熱パイプを含み、前記第二伝動チャンバの右側壁の中には羽根軸が回転できるように取付けられ、前記羽根軸には羽根が設けられ、最底部の前記羽根軸と前記鎖歯車との間には第一チェーンが伝動できるように取付けられ、隣り合う前記羽根軸の間には第二チェーンが伝動できるように取付けられ、前記第二伝動チャンバの右側壁には前記装置基盤の右端を貫通する空気入口が設けられ、前記乾燥チャンバの左側壁には前記装置基盤の左端面を貫通する空気出口が前後対称のように設けられ、底部の前記空気入口の底壁の中には上へ前記装置基盤の頂端を貫通する濾過溝が設けられ、前記濾過溝の中には濾過網がスライドできるように取付けられる。
【発明の効果】
【００１０】
本発明の有益効果は：作動動力がモータによって提供され、セーターの上部を第一回転装置に掛け、下部を第二回転装置によって支え、セーターに含まれる水分の重力によってセーターが下へ引っ張られて変形することを防止し、乾燥する時、セーターが絶えずに回転すると同時に振り続き、乾燥過程中にセーターが固くなることを防止し、乾燥後のセーターが変形しない上に、柔らかくて、乾燥時間も短く、宣伝価値がある。
【図面の簡単な説明】
【００１１】
【図１】図１は本発明の全体構成略図である；
【図２】図２は図１のＡの拡大略図である；
【図３】図３は図１のＢの拡大略図である；
【図４】図４は図２のＣ―Ｃの断面構造略図である；
【発明を実施するための形態】
【００１２】
以下、図１−４を合わせて本発明について詳しく説明し、また、説明の便利を図るため、下記に記載の上下左右前後方向が図１自身の投影関係の上下左右前後方向と一致することにする。
【００１３】
図１−４を参照して、本発明の織物乾燥装置は、装置基盤１０を含み、前記装置基盤１０の底部端面には支持脚４７が設けられ、前記装置基盤１０の中には乾燥チャンバ１６が設けられ、前記乾燥チャンバ１６の下方には伝動駆動部品９０１が設けられ、前記伝動駆動部品９０１が駆動動力を提供するモータ２８を含み、前記モータ２８の右側には底部伝動装置９０２が設けられ、前記底部伝動装置９０２が第一伝動チャンバ６２と、前記第一伝動チャンバ６２の中に位置する第一基盤６３とを含み、前記第一基盤６３の底部端面には回転スリーブ８５と、固定回転チャンバ７０と第一歯車７１が設けられ、前記第一基盤６３の中にはスライド伝動部品９０３が設けられ、前記スライド伝動部品９０３が前記固定回転チャンバ７０の中に位置する固定盤８０を含み、前記固定盤８０の底部端面には前記回転スリーブ８５と回転できるように接続される固定スリーブ８３が設けられ、前記第一基盤６３の頂端にはスライドブロック７６がスライドできるように取付けられ、前記乾燥チャンバ１６の中には回転装置９０４が設けられ、前記回転装置９０４は上方の第一回転装置９０１と、前記スライドブロック７６の頂端に設置される下方の第二回転装置８０２とを含み、前記第一回転装置８０１によってハンガーを引っ掛け、セーターを広げて前記第二回転装置８０２に被せて排水乾燥を行い、前記第一伝動チャンバ６２の右側には加速伝動部品９０５が設けられ、前記乾燥チャンバ１６の右側には風吹き部品９０６が設けられ、前記風吹き部品９０６が四つの同じの加熱チャンバ５１と、前記加熱チャンバ５１の右側に位置する四つの連通した第二伝動チャンバ５０とを含み、前記風吹き部品９０６の動力を前記加速伝動部品９０５が提供し、前記加速伝動部品９０５と前記底部伝動装置９０２の動力を前記伝動駆動部品９０１が提供し、前記伝動駆動部品９０１がまた前記回転装置９０４に動力を提供する。
【００１４】
前記伝動駆動部品９０１は右伝動チャンバ３０を含み、前記モータ２８の左側には左伝動チャンバ２５が設けられ、前記モータ２８の左右両側の出力軸には第一軸体２７が接続され、左側の前記第一軸体２７が第一傘歯車２６と接続され、右側の前記第一軸体２７が第二傘歯車３９と接続され、前記右伝動チャンバ３０の底壁の中には第一回転軸３２が回転できるように取付けられ、前記第一回転軸３２には前記第二傘歯車３９と噛み合う第三傘歯車３１が設けられ、前記第一回転軸３２には第二歯車６０が設けられ、前記乾燥チャンバ１６の中には上伝動チャンバ１１が設けられ、前記上伝動チャンバ１１と前記左伝動チャンバ２５との間には第二回転軸１４が回転できるように取付けられ、前記第二回転軸１４の底部端面には前記第一傘歯車２６と噛み合う下傘歯車２４が設けられ、前記第二回転軸１４の頂端にはトップ傘歯車１２が設けられ、前記上伝動チャンバ１１の右側には上回転チャンバ１７が設けられ、前記上回転チャンバ１７と前記上伝動チャンバ１１との間には第二軸体１９が回転できるように取付けられ、前記第二軸体１９の左端面には前記トップ傘歯車１２と噛み合う左傘歯車１３が設けられ、前記第二軸体１９の右端には右傘歯車１８が設けられ、前記底部伝動装置９０２が下伝動チャンバ８８を含み、前記下伝動チャンバ８８の底壁には第二基盤８７が設けられ、前記第二基盤８７の頂端には第一ボール９０がスライドできるように取付けられ、前記回転スリーブ８５の外端には前記第二歯車６０と噛み合う第一リングギヤ８６が設けられ、前記回転スリーブ８５の頂端には第一基盤６３が設けられ、前記第一伝動チャンバ６２の底壁には前記第一基盤６３と回転できるように係合される第二ボール６１がスライドできるように取付けられ、前記第一伝動チャンバ６２の内壁の中には環状溝６４が設けられ、前記固定回転チャンバ７０の上下壁の間には左右対称の第三軸体６７が回転できるように取付けられ、前記第一基盤６３の外端には前記環状溝６４の中で回転する第二リングギヤ６５が設けられ、前記スライド伝動部品９０３が前記固定スリーブ８３の中に位置する上下に貫通した第一通路８４を含み、前記固定スリーブ８３が前記回転スリーブ８５と回転できるように係合され、前記第一通路８４の末端には排水導管３３が密封して取付けられ、前記固定盤８０が前記固定スリーブ８３の頂端に位置し、前記固定盤８０の外側には前記第一歯車７１と噛み合える外リングギヤ８９が一つ設けられ、前記固定盤８０の中には上方に開口した排水溝８１が設けられ、前記排水溝８１の底壁には前記第一通路８４と連通する排水穴８２が設けられ、前記第一歯車７１の上方には二つの第三伝動チャンバ７２が左右対称的に設けられ、前記第三軸体６７が上へ前記第三伝動チャンバ７２の中に入り、前記第三伝動チャンバ７２の上下壁の間には第四軸体７４が回転できるように取付けられ、前記第四軸体７４と前記第三軸体６７の間にはベルト６８が伝動できるように取付けられ、前記第四軸体７４には第三歯車７３が設けられ、前記第一伝動チャンバ６２の頂壁には前記乾燥チャンバ１６と連通する移動溝口６６が設けられ、前記スライドブロック７６の左右両側の端面には前記第三歯車７３と噛み合うラックが設けられ、前記スライドブロック７６の底壁には前記第一基盤６３とスライドできるように係合されるスライド案内ブロック７８が左右対称のように設けられ、前記スライドブロック７６の中には前記排水穴８２と連通する排水通し溝７７が上下に貫通して設けられ、これにより底部の動力を上又は右へ伝達でき、右側の動力を第一基盤６３の回転する動力に転換し、第一基盤６３の動力をスライドブロック７６の往復運動の動力に転換する。
【００１５】
前記回転装置９０４の中の前記第一回転装置８０１は前記上回転チャンバ１７の底壁に回転できるように取付けられ、且つ前記乾燥チャンバ１６の頂壁を貫通する上回転軸２１を含み、前記上回転軸２１の頂端には前記右傘歯車１８と噛み合う上傘歯車２０が設けられ、前記上回転軸２１の底部端面には鉤回転ブロック２２が設けられ、前記鉤回転ブロック２２の底部端面には鉤２３が設けられ、前記回転装置９０４の中の前記第二回転装置８０２は前記スライドブロック７６の頂端に設けられる排水スリーブ９９を含み、前記排水スリーブ９９の頂端には排水ブロック９６が設けられ、前記排水ブロック９６の中には上方に開口した排水チャンバ９７が設けられ、前記排水ブロック９６の外側には固定板９３が設けられ、前記固定板９３の外側には固定支持板９４が設けられ、前記固定支持板９４のところには濾過網スリーブ９１が設けられ、前記固定支持板９４の外端には水遮り環状ブロック９２が設けられ、前記排水チャンバ９７の内壁の中には前記水遮り環状ブロック９２の内部チャンバと連通する排水穴９５が設けられ、前記排水スリーブ９９の中には前記排水チャンバ９７と前記排水通し溝７７と連通する第二通路９８が設けられ、これによりセーターを回転連動させ、均一に乾燥する。
【００１６】
前記加速伝動部品９０５は、前記環状溝６４の右側に位置し、且つ前記環状溝６４と連通する第一加速チャンバ３４を含み、前記第一加速チャンバ３４の下方には第二加速チャンバ４１が設けられ、前記第二加速チャンバ４１の底壁の中には第三回転軸３７が回転できるように取付けられ、前記第三回転軸３７には前記第二リングギヤ６５と噛み合う第四歯車３５が設けられ、前記第三回転軸３７には第五歯車３６が設けられ、前記第二加速チャンバ４１の底壁の中に第四回転軸４３が回転できるように取付けられ、前記第四回転軸４３には前記第五歯車３６と噛み合う第六歯車３８が設けられ、前記第四回転軸４３の頂端には第四傘歯車４０が設けられ、前記第二加速チャンバ４１の右側には第四伝動チャンバ４６が設けられ、前記第四伝動チャンバ４６の右側壁の中には前記第二加速チャンバ４１の中に挿入される第五回転軸４４が回転できるように取付けられ、前記第五回転軸４４の左端面には前記第四傘歯車４０と噛み合う第五傘歯車４２が設けられ、前記第五回転軸４４において前記第四伝動チャンバ４６の中には鎖歯車４５が設けられ、これにより第一基盤６３の回転を右に伝達し、また伝達過程でスピードを上げる。
【００１７】
前記風吹き部品９０６は前記加熱チャンバ５１の上下壁の間に設置される加熱パイプ５２を含み、前記第二伝動チャンバ５０の右側壁の中には羽根軸５６が回転できるように取付けられ、前記羽根軸５６には羽根５５が設けられ、最底部の前記羽根軸５６と前記鎖歯車４５との間には第一チェーン４８が伝動できるように取付けられ、隣り合う前記羽根軸５６の間には第二チェーン５７が伝動できるように取付けられ、前記第二伝動チャンバ５０の右側壁には前記装置基盤１０の右端を貫通する空気入口５４が設けられ、前記乾燥チャンバ１６の左側壁には前記装置基盤１０の左端面を貫通する空気出口１５が前後対称のように設けられ、底部の前記空気入口５４の底壁の中には上へ前記装置基盤１０の頂端を貫通する濾過溝５８が設けられ、前記濾過溝５８の中には濾過網５３がスライドできるように取付けられ、これにより熱風を噴き、セーターを乾燥する。
【００１８】
使用する時、ハンガーを鉤２３に掛け、セーターの下方を広げて濾過網スリーブ９１に被せ、モータ２８を始動して両側の第一軸体２７を回転連動させ、左側の第一軸体２７が第一傘歯車２６を回転連動させ、第一傘歯車２６が噛合によって下傘歯車２４を回転連動させ、下傘歯車２４が第二回転軸１４とトップ傘歯車１２とを回転連動させ、トップ傘歯車１２が噛合によって左傘歯車１３と第二軸体１９とを回転連動させ、第二軸体１９が右傘歯車１８を回転連動させ、右傘歯車１８が噛合によって上傘歯車２０と上回転軸２１とを回転連動させ、上回転軸２１が鉤回転ブロック２２と鉤２３を回転連動させ、右側の第一軸体２７が第二傘歯車３９を回転連動させ、第二傘歯車３９が噛合によって第三傘歯車３１と第一回転軸３２とを回転連動させ、第一回転軸３２が第二歯車６０を回転連動させ、第二歯車６０が第一リングギヤ８６と回転スリーブ８５を回転連動させ、回転スリーブ８５が第一基盤６３を回転連動させ、第一基盤６３が二つの第三軸体６７と第一歯車７１を連動させて第一基盤６３の円心をめぐって回転させ、同時に第一基盤６３が第二リングギヤ６５を回転連動させ、この時、固定スリーブ８３が固定盤８０と固定され、左側の第一歯車７１と外リングギヤ８９とが噛み合った後に左側の第一歯車７１と第三軸体６７とを回転連動させ、左側の第三軸体６７が左側のベルト６８を伝動連動させ、左側のベルト６８が左側の第四軸体７４と第三歯車７３とを回転連動させ、左側の第三歯車７３が噛合によってスライドブロック７６を連動させて前へ移動させ、第一基盤６３が継続して回転するにつれて、右側の第一歯車７１が回転し始めてスライドブロック７６を連動させて後へ移動させ、同時に第一基盤６３がスライドブロック７６を回転連動させ、スライドブロック７６が濾過網スリーブ９１を回転連動させ、濾過網スリーブ９１と鉤２３との同期回転によってセーターが連動して回転し始め、セーターの中の水が濾過網スリーブ９１に沿って水遮り環状ブロック９２の内部チャンバの中に流れ込み、排水穴９５を通して排水チャンバ９７の中に入り、また一部の水が濾過網スリーブ９１を通り抜けて直接に固定板９３に落ちて排水チャンバ９７の中に入り、水が第二通路９８から排水通し溝７７の中に入った後に第一通路８４の中に入って排水導管３３から排出され、同時にスライドブロック７６が往復スライドし始め、セーターを連れて往復移動させ、セーターを振らせ、第二リングギヤ６５が噛合によって第四歯車３５を加速して回転連動させ、第四歯車３５が第三回転軸３７と第五歯車３６を回転連動させ、第五歯車３６が噛合によって第六歯車３８と第四回転軸４３とを連動させて加速回転させ、第六歯車３８が第四傘歯車４０を回転連動させ、第四傘歯車４０が噛合によって第五傘歯車４２を回転連動させ、第五傘歯車４２が第五回転軸４４と鎖歯車４５とを回転連動させ、加熱パイプが通電して熱を生じ、鎖歯車４５が第一チェーン４８を伝動連動させ、第一チェーン４８が底部の羽根軸５６を連動させて回転させ始め、底部の羽根軸５６が底部の第二チェーン５７を連動させて伝動させ、第二チェーン５７が他の羽根軸５６を回転連動させ、羽根軸５６が羽根５５を回転連動させ、空気を空気入口５４から吸い込んで濾過網５３の濾過と加熱パイプ５２の加熱を経って乾燥チャンバ１６の中に吹き込み、セーターの回転と移動に合わせてセーターを振らせて乾燥する。
【００１９】
本発明の有益効果は：作動動力がモータによって提供され、セーターの上部を第一回転装置に掛け、下部を第二回転装置によって支え、セーターに含まれる水分の重力によってセーターが下へ引っ張られて変形することを防止し、乾燥する時、セーターが絶えずに回転すると同時に振り続き、乾燥過程中にセーターが固くなることを防止し、乾燥後のセーターが変形しない上に、柔らかくて、乾燥時間も短く、宣伝価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020157027.tif 000003
【図２】
2020157027.tif 000004
【図３】
2020157027.tif 000005
【図４】
2020157027.tif 000006
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
装置基盤を含み、前記装置基盤の底部端面には支持脚が設けられ、前記装置基盤の中には乾燥チャンバが設けられ、前記乾燥チャンバの下方には伝動駆動部品が設けられ、前記伝動駆動部品が駆動動力を提供するモータを含み、前記モータの右側には底部伝動装置が設けられ、前記底部伝動装置が第一伝動チャンバと、前記第一伝動チャンバの中に位置する第一基盤とを含み、前記第一基盤の底部端面には回転スリーブと、固定回転チャンバと第一歯車が設けられ、前記第一基盤の中にはスライド伝動部品が設けられ、前記スライド伝動部品が前記固定回転チャンバの中に位置する固定盤を含み、前記固定盤の底部端面には前記回転スリーブと回転できるように接続される固定スリーブが設けられ、前記第一基盤の頂端には前又は後ろへスライドできるスライドブロックが取付けられ、前記乾燥チャンバの中には回転装置が設けられ、前記回転装置は上方の第一回転装置と、前記スライドブロックの頂端に設置される下方の第二回転装置とを含み、
前記回転装置の中の前記第一回転装置は前記上回転チャンバの底壁に回転できるように取付けられ、且つ前記乾燥チャンバの頂壁を貫通する上回転軸を含み、前記上回転軸の頂端には前記右傘歯車と噛み合う上傘歯車が設けられ、前記上回転軸の底部端面には鉤回転ブロックが設けられ、前記鉤回転ブロックの底部端面には鉤が設けられ、前記回転装置の中の前記第二回転装置は前記スライドブロックの頂端に設けられる排水スリーブを含み、前記排水スリーブの頂端には排水ブロックが設けられ、前記排水ブロックの中には上方に開口した排水チャンバが設けられ、前記排水ブロックの外側には固定板が設けられ、前記固定板の外側には固定支持板が設けられ、前記固定支持板のところには濾過網スリーブが設けられ、前記固定支持板の外端には水遮り環状ブロックが設けられ、前記排水チャンバの内壁の中には前記水遮り環状ブロックの内部チャンバと連通する排水穴が設けられ、前記排水スリーブの中には前記排水チャンバと前記排水通し溝と連通する第二通路が設けられ、これによりセーターを回転連動させ、均一に乾燥し、
前記第一回転装置の中にある鉤によってハンガーを引っ掛け、鉤に掛かったセーターを広げて前記第二回転装置の濾過網スリーブに被せてセーターの排水乾燥を行い、前記第一伝動チャンバの右側には加速伝動部品が設けられ、前記乾燥チャンバの右側には風吹き部品が設けられ、前記風吹き部品が四つの同じの加熱チャンバと、前記加熱チャンバの右側に位置する四つの連通した第二伝動チャンバとを含み、前記風吹き部品の動力を前記加速伝動部品が提供し、前記加速伝動部品と前記底部伝動装置の動力を前記伝動駆動部品が提供し、前記伝動駆動部品がまた前記回転装置に動力を提供し、
前記伝動駆動部品は右伝動チャンバを含み、前記モータの左側には左伝動チャンバが設けられ、前記モータの左右両側の出力軸には第一軸体が接続され、左側の前記第一軸体が第一傘歯車と接続され、右側の前記第一軸体が第二傘歯車と接続され、前記右伝動チャンバの底壁の中には第一回転軸が回転できるように取付けられ、前記第一回転軸には前記第二傘歯車と噛み合う第三傘歯車が設けられ、前記第一回転軸には第二歯車が設けられ、前記乾燥チャンバの中には上伝動チャンバが設けられ、前記上伝動チャンバと前記左伝動チャンバとの間には第二回転軸が回転できるように取付けられ、前記第二回転軸の底部端面には前記第一傘歯車と噛み合う下傘歯車が設けられ、前記第二回転軸の頂端にはトップ傘歯車が設けられ、前記上伝動チャンバの右側には上回転チャンバが設けられ、前記上回転チャンバと前記上伝動チャンバとの間には第二軸体が回転できるように取付けられ、前記第二軸体の左端面には前記トップ傘歯車と噛み合う左傘歯車が設けられ、前記第二軸体の右端には右傘歯車が設けられ、前記底部伝動装置が下伝動チャンバを含み、前記下伝動チャンバの底壁には第二基盤が設けられ、前記第二基盤の頂端には第一ボールがスライドできるように取付けられ、前記回転スリーブの外端には前記第二歯車と噛み合う第一リングギヤが設けられ、前記回転スリーブの頂端には第一基盤が設けられ、前記第一伝動チャンバの底壁には前記第一基盤と回転できるように係合される第二ボールがスライドできるように取付けられ、前記第一伝動チャンバの内壁の中には環状溝が設けられ、前記固定回転チャンバの上下壁の間には左右対称の第三軸体が回転できるように取付けられ、前記第一基盤の外端には前記環状溝の中で回転する第二リングギヤが設けられ、前記スライド伝動部品が前記固定スリーブの中に位置する上下に貫通した第一通路を含み、前記固定スリーブが前記回転スリーブと回転できるように係合され、前記第一通路の末端には排水導管が密封して取付けられ、前記固定盤が前記固定スリーブの頂端に位置し、前記固定盤の外側には前記第一歯車と噛み合える外リングギヤが一つ設けられ、前記固定盤の中には上方に開口した排水溝が設けられ、前記排水溝の底壁には前記第一通路と連通する排水穴が設けられ、前記第一歯車の上方には二つの第三伝動チャンバが左右対称的に設けられ、前記第三軸体が上へ前記第三伝動チャンバの中に入り、前記第三伝動チャンバの上下壁の間には第四軸体が回転できるように取付けられ、前記第四軸体と前記第三軸体の間にはベルトが伝動できるように取付けられ、前記第四軸体には第三歯車が設けられ、前記第一伝動チャンバの頂壁には前記乾燥チャンバと連通する移動溝口が設けられ、前記スライドブロックの左右両側の端面には前記第三歯車と噛み合うラックが設けられ、前記スライドブロックの底壁には前記第一基盤とスライドできるように係合されるスライド案内ブロックが左右対称のように設けられ、前記スライドブロックの中には前記排水穴と連通する排水通し溝が上下に貫通して設けられ、これにより底部の動力を上又は右へ伝達でき、右側の動力を第一基盤の回転する動力に転換し、第一基盤の動力をスライドブロックの往復運動の動力に転換し、
前記加速伝動部品は、前記環状溝の右側に位置し、且つ前記環状溝と連通する第一加速チャンバを含み、前記第一加速チャンバの下方には第二加速チャンバが設けられ、前記第二加速チャンバの底壁の中には第三回転軸が回転できるように取付けられ、前記第三回転軸には前記第二リングギヤと噛み合う第四歯車が設けられ、前記第三回転軸には第五歯車が設けられ、前記第二加速チャンバの底壁の中に第四回転軸が回転できるように取付けられ、前記第四回転軸には前記第五歯車と噛み合う第六歯車が設けられ、前記第四回転軸の頂端には第四傘歯車が設けられ、前記第二加速チャンバの右側には第四伝動チャンバが設けられ、前記第四伝動チャンバの右側壁の中には前記第二加速チャンバの中に挿入される第五回転軸が回転できるように取付けられ、前記第五回転軸の左端面には前記第四傘歯車と噛み合う第五傘歯車が設けられ、前記第五回転軸において前記第四伝動チャンバの中には鎖歯車が設けられ、
前記風吹き部品は前記加熱チャンバの上下壁の間に設置される加熱パイプを含み、前記第二伝動チャンバの右側壁の中には羽根軸が回転できるように取付けられ、前記羽根軸には羽根が設けられ、最底部の前記羽根軸と前記鎖歯車との間には第一チェーンが伝動できるように取付けられ、隣り合う前記羽根軸の間には第二チェーンが伝動できるように取付けられ、前記第二伝動チャンバの右側壁には前記装置基盤の右端を貫通する空気入口が設けられ、前記乾燥チャンバの左側壁には前記装置基盤の左端面を貫通する空気出口が前後対称のように設けられ、底部の前記空気入口の底壁の中には上へ前記装置基盤の頂端を貫通する濾過溝が設けられ、前記濾過溝の中には濾過網がスライドできるように取付けられることを特徴とするセーター乾燥装置。
【手続補正２】
【補正対象書類名】明細書
【補正対象項目名】全文
【補正方法】変更
【補正の内容】
【発明の詳細な説明】
【技術分野】
【０００１】
本発明はセーター乾燥技術分野に関し、具体的にはセーター乾燥装置である。
【背景技術】
【０００２】
セーターは洗濯した後に、洗濯機の遠心脱水による極大な遠心力によって変形することがよくあり、またひたすら力を入れて絞ったらセーターが変形してしまうこともあり、自然乾燥を採用する場合、水の重力により伸ばされて結局やはり変形して着られなくなる。
【先行技術文献】
【特許文献】
【０００３】
【特許文献１】中国特許出願公開第１０８９８１３５１号明細書
【発明の概要】
【発明が解決しようとする課題】
【０００４】
本発明の目的はセーター乾燥装置を提供し、それは上記の現在の技術中の問題を解決できる。
【課題を解決するための手段】
【０００５】
本発明は以下の技術プランを通じて実現する：本発明のセーター乾燥装置は、装置基盤を含み、前記装置基盤の底部端面には支持脚が設けられ、前記装置基盤の中には乾燥チャンバが設けられ、前記乾燥チャンバの下方には伝動駆動部品が設けられ、前記伝動駆動部品が駆動動力を提供するモータを含み、前記モータの右側には底部伝動装置が設けられ、前記底部伝動装置が第一伝動チャンバと、前記第一伝動チャンバの中に位置する第一基盤とを含み、前記第一基盤の底部端面には回転スリーブと、固定回転チャンバと第一歯車が設けられ、前記第一基盤の中にはスライド伝動部品が設けられ、前記スライド伝動部品が前記固定回転チャンバの中に位置する固定盤を含み、前記固定盤の底部端面には前記回転スリーブと回転できるように接続される固定スリーブが設けられ、前記第一基盤の頂端には前又は後ろへスライドできるスライドブロックが取付けられ、前記乾燥チャンバの中には回転装置が設けられ、前記回転装置は上方の第一回転装置と、前記スライドブロックの頂端に設置される下方の第二回転装置とを含み、
前記回転装置の中の前記第一回転装置は前記上回転チャンバの底壁に回転できるように取付けられ、且つ前記乾燥チャンバの頂壁を貫通する上回転軸を含み、前記上回転軸の頂端には前記右傘歯車と噛み合う上傘歯車が設けられ、前記上回転軸の底部端面には鉤回転ブロックが設けられ、前記鉤回転ブロックの底部端面には鉤が設けられ、前記回転装置の中の前記第二回転装置は前記スライドブロックの頂端に設けられる排水スリーブを含み、前記排水スリーブの頂端には排水ブロックが設けられ、前記排水ブロックの中には上方に開口した排水チャンバが設けられ、前記排水ブロックの外側には固定板が設けられ、前記固定板の外側には固定支持板が設けられ、前記固定支持板のところには濾過網スリーブが設けられ、前記固定支持板の外端には水遮り環状ブロックが設けられ、前記排水チャンバの内壁の中には前記水遮り環状ブロックの内部チャンバと連通する排水穴が設けられ、前記排水スリーブの中には前記排水チャンバと前記排水通し溝と連通する第二通路が設けられ、これによりセーターを回転連動させ、均一に乾燥し、
前記第一回転装置の中にある鉤によってハンガーを引っ掛け、鉤に掛かったセーターを広げて前記第二回転装置の濾過網スリーブに被せてセーターの排水乾燥を行い、前記第一伝動チャンバの右側には加速伝動部品が設けられ、前記乾燥チャンバの右側には風吹き部品が設けられ、前記風吹き部品が四つの同じの加熱チャンバと、前記加熱チャンバの右側に位置する四つの連通した第二伝動チャンバとを含み、前記風吹き部品の動力を前記加速伝動部品が提供し、前記加速伝動部品と前記底部伝動装置の動力を前記伝動駆動部品が提供し、前記伝動駆動部品がまた前記回転装置に動力を提供する。
【０００６】
優選的には、前記伝動駆動部品は右伝動チャンバを含み、前記モータの左側には左伝動チャンバが設けられ、前記モータの左右両側の出力軸には第一軸体が接続され、左側の前記第一軸体が第一傘歯車と接続され、右側の前記第一軸体が第二傘歯車と接続され、前記右伝動チャンバの底壁の中には第一回転軸が回転できるように取付けられ、前記第一回転軸には前記第二傘歯車と噛み合う第三傘歯車が設けられ、前記第一回転軸には第二歯車が設けられ、前記乾燥チャンバの中には上伝動チャンバが設けられ、前記上伝動チャンバと前記左伝動チャンバとの間には第二回転軸が回転できるように取付けられ、前記第二回転軸の底部端面には前記第一傘歯車と噛み合う下傘歯車が設けられ、前記第二回転軸の頂端にはトップ傘歯車が設けられ、前記上伝動チャンバの右側には上回転チャンバが設けられ、前記上回転チャンバと前記上伝動チャンバとの間には第二軸体が回転できるように取付けられ、前記第二軸体の左端面には前記トップ傘歯車と噛み合う左傘歯車が設けられ、前記第二軸体の右端には右傘歯車が設けられ、前記底部伝動装置が下伝動チャンバを含み、前記下伝動チャンバの底壁には第二基盤が設けられ、前記第二基盤の頂端には第一ボールがスライドできるように取付けられ、前記回転スリーブの外端には前記第二歯車と噛み合う第一リングギヤが設けられ、前記回転スリーブの頂端には第一基盤が設けられ、前記第一伝動チャンバの底壁には前記第一基盤と回転できるように係合される第二ボールがスライドできるように取付けられ、前記第一伝動チャンバの内壁の中には環状溝が設けられ、前記固定回転チャンバの上下壁の間には左右対称の第三軸体が回転できるように取付けられ、前記第一基盤の外端には前記環状溝の中で回転する第二リングギヤが設けられ、前記スライド伝動部品が前記固定スリーブの中に位置する上下に貫通した第一通路を含み、前記固定スリーブが前記回転スリーブと回転できるように係合され、前記第一通路の末端には排水導管が密封して取付けられ、前記固定盤が前記固定スリーブの頂端に位置し、前記固定盤の外側には前記第一歯車と噛み合える外リングギヤが一つ設けられ、前記固定盤の中には上方に開口した排水溝が設けられ、前記排水溝の底壁には前記第一通路と連通する排水穴が設けられ、前記第一歯車の上方には二つの第三伝動チャンバが左右対称的に設けられ、前記第三軸体が上へ前記第三伝動チャンバの中に入り、前記第三伝動チャンバの上下壁の間には第四軸体が回転できるように取付けられ、前記第四軸体と前記第三軸体の間にはベルトが伝動できるように取付けられ、前記第四軸体には第三歯車が設けられ、前記第一伝動チャンバの頂壁には前記乾燥チャンバと連通する移動溝口が設けられ、前記スライドブロックの左右両側の端面には前記第三歯車と噛み合うラックが設けられ、前記スライドブロックの底壁には前記第一基盤とスライドできるように係合されるスライド案内ブロックが左右対称のように設けられ、前記スライドブロックの中には前記排水穴と連通する排水通し溝が上下に貫通して設けられ、これにより底部の動力を上又は右へ伝達でき、右側の動力を第一基盤の回転する動力に転換し、第一基盤の動力をスライドブロックの往復運動の動力に転換する。
【０００７】
前記加速伝動部品は、前記環状溝の右側に位置し、且つ前記環状溝と連通する第一加速チャンバを含み、前記第一加速チャンバの下方には第二加速チャンバが設けられ、前記第二加速チャンバの底壁の中には第三回転軸が回転できるように取付けられ、前記第三回転軸には前記第二リングギヤと噛み合う第四歯車が設けられ、前記第三回転軸には第五歯車が設けられ、前記第二加速チャンバの底壁の中に第四回転軸が回転できるように取付けられ、前記第四回転軸には前記第五歯車と噛み合う第六歯車が設けられ、前記第四回転軸の頂端には第四傘歯車が設けられ、前記第二加速チャンバの右側には第四伝動チャンバが設けられ、前記第四伝動チャンバの右側壁の中には前記第二加速チャンバの中に挿入される第五回転軸が回転できるように取付けられ、前記第五回転軸の左端面には前記第四傘歯車と噛み合う第五傘歯車が設けられ、前記第五回転軸において前記第四伝動チャンバの中には鎖歯車が設けられる。
【０００８】
前記風吹き部品は前記加熱チャンバの上下壁の間に設置される加熱パイプを含み、前記第二伝動チャンバの右側壁の中には羽根軸が回転できるように取付けられ、前記羽根軸には羽根が設けられ、最底部の前記羽根軸と前記鎖歯車との間には第一チェーンが伝動できるように取付けられ、隣り合う前記羽根軸の間には第二チェーンが伝動できるように取付けられ、前記第二伝動チャンバの右側壁には前記装置基盤の右端を貫通する空気入口が設けられ、前記乾燥チャンバの左側壁には前記装置基盤の左端面を貫通する空気出口が前後対称のように設けられ、底部の前記空気入口の底壁の中には上へ前記装置基盤の頂端を貫通する濾過溝が設けられ、前記濾過溝の中には濾過網がスライドできるように取付けられる。
【発明の効果】
【０００９】
本発明の有益効果は：作動動力がモータによって提供され、セーターの上部を第一回転装置に掛け、下部を第二回転装置によって支え、セーターに含まれる水分の重力によってセーターが下へ引っ張られて変形することを防止し、乾燥する時、セーターが絶えずに回転すると同時に振り続き、乾燥過程中にセーターが固くなることを防止し、乾燥後のセーターが変形しない上に、柔らかくて、乾燥時間も短く、宣伝価値がある。
【図面の簡単な説明】
【００１０】
【図１】図１は本発明の全体構成略図
【図２】図２は図１のＡの拡大略図
【図３】図３は図１のＢの拡大略図
【図４】図４は図２のＣ―Ｃの断面構造略図
【発明を実施するための形態】
【００１１】
以下、図１−４を合わせて本発明について詳しく説明し、また、説明の便利を図るため、下記に記載の上下左右前後方向が図１自身の投影関係の上下左右前後方向と一致することにする。
【００１２】
図１−４を参照して、本発明のセーター乾燥装置は、装置基盤１０を含み、前記装置基盤１０の底部端面には支持脚４７が設けられ、前記装置基盤１０の中には乾燥チャンバ１６が設けられ、前記乾燥チャンバ１６の下方には伝動駆動部品９０１が設けられ、前記伝動駆動部品９０１が駆動動力を提供するモータ２８を含み、前記モータ２８の右側には底部伝動装置９０２が設けられ、前記底部伝動装置９０２が第一伝動チャンバ６２と、前記第一伝動チャンバ６２の中に位置する第一基盤６３とを含み、前記第一基盤６３の底部端面には回転スリーブ８５と、固定回転チャンバ７０と第一歯車７１が設けられ、前記第一基盤６３の中にはスライド伝動部品９０３が設けられ、前記スライド伝動部品９０３が前記固定回転チャンバ７０の中に位置する固定盤８０を含み、前記固定盤８０の底部端面には前記回転スリーブ８５と回転できるように接続される固定スリーブ８３が設けられ、前記第一基盤６３の頂端には前又は後ろへスライドできるスライドブロック７６が取付けられ、前記乾燥チャンバ１６の中には回転装置９０４が設けられ、前記回転装置９０４は上方の第一回転装置９０１と、前記スライドブロック７６の頂端に設置される下方の第二回転装置８０２とを含み、
前記回転装置９０４の中の前記第一回転装置８０１は前記上回転チャンバ１７の底壁に回転できるように取付けられ、且つ前記乾燥チャンバ１６の頂壁を貫通する上回転軸２１を含み、前記上回転軸２１の頂端には前記右傘歯車１８と噛み合う上傘歯車２０が設けられ、前記上回転軸２１の底部端面には鉤回転ブロック２２が設けられ、前記鉤回転ブロック２２の底部端面には鉤２３が設けられ、前記回転装置９０４の中の前記第二回転装置８０２は前記スライドブロック７６の頂端に設けられる排水スリーブ９９を含み、前記排水スリーブ９９の頂端には排水ブロック９６が設けられ、前記排水ブロック９６の中には上方に開口した排水チャンバ９７が設けられ、前記排水ブロック９６の外側には固定板９３が設けられ、前記固定板９３の外側には固定支持板９４が設けられ、前記固定支持板９４のところには濾過網スリーブ９１が設けられ、前記固定支持板９４の外端には水遮り環状ブロック９２が設けられ、前記排水チャンバ９７の内壁の中には前記水遮り環状ブロック９２の内部チャンバと連通する排水穴９５が設けられ、前記排水スリーブ９９の中には前記排水チャンバ９７と前記排水通し溝７７と連通する第二通路９８が設けられ、これによりセーターを回転連動させ、均一に乾燥し、
前記第一回転装置８０１の中にある鉤２３によってハンガーを引っ掛け、鉤２３に掛かったセーターを広げて前記第二回転装置８０２の濾過網スリーブ９１に被せてセーターの排水乾燥を行い、前記第一伝動チャンバ６２の右側には加速伝動部品９０５が設けられ、前記乾燥チャンバ１６の右側には風吹き部品９０６が設けられ、前記風吹き部品９０６が四つの同じの加熱チャンバ５１と、前記加熱チャンバ５１の右側に位置する四つの連通した第二伝動チャンバ５０とを含み、前記風吹き部品９０６の動力を前記加速伝動部品９０５が提供し、前記加速伝動部品９０５と前記底部伝動装置９０２の動力を前記伝動駆動部品９０１が提供し、前記伝動駆動部品９０１がまた前記回転装置９０４に動力を提供する。
【００１３】
前記伝動駆動部品９０１は右伝動チャンバ３０を含み、前記モータ２８の左側には左伝動チャンバ２５が設けられ、前記モータ２８の左右両側の出力軸には第一軸体２７が接続され、左側の前記第一軸体２７が第一傘歯車２６と接続され、右側の前記第一軸体２７が第二傘歯車３９と接続され、前記右伝動チャンバ３０の底壁の中には第一回転軸３２が回転できるように取付けられ、前記第一回転軸３２には前記第二傘歯車３９と噛み合う第三傘歯車３１が設けられ、前記第一回転軸３２には第二歯車６０が設けられ、前記乾燥チャンバ１６の中には上伝動チャンバ１１が設けられ、前記上伝動チャンバ１１と前記左伝動チャンバ２５との間には第二回転軸１４が回転できるように取付けられ、前記第二回転軸１４の底部端面には前記第一傘歯車２６と噛み合う下傘歯車２４が設けられ、前記第二回転軸１４の頂端にはトップ傘歯車１２が設けられ、前記上伝動チャンバ１１の右側には上回転チャンバ１７が設けられ、前記上回転チャンバ１７と前記上伝動チャンバ１１との間には第二軸体１９が回転できるように取付けられ、前記第二軸体１９の左端面には前記トップ傘歯車１２と噛み合う左傘歯車１３が設けられ、前記第二軸体１９の右端には右傘歯車１８が設けられ、前記底部伝動装置９０２が下伝動チャンバ８８を含み、前記下伝動チャンバ８８の底壁には第二基盤８７が設けられ、前記第二基盤８７の頂端には第一ボール９０がスライドできるように取付けられ、前記回転スリーブ８５の外端には前記第二歯車６０と噛み合う第一リングギヤ８６が設けられ、前記回転スリーブ８５の頂端には第一基盤６３が設けられ、前記第一伝動チャンバ６２の底壁には前記第一基盤６３と回転できるように係合される第二ボール６１がスライドできるように取付けられ、前記第一伝動チャンバ６２の内壁の中には環状溝６４が設けられ、前記固定回転チャンバ７０の上下壁の間には左右対称の第三軸体６７が回転できるように取付けられ、前記第一基盤６３の外端には前記環状溝６４の中で回転する第二リングギヤ６５が設けられ、前記スライド伝動部品９０３が前記固定スリーブ８３の中に位置する上下に貫通した第一通路８４を含み、前記固定スリーブ８３が前記回転スリーブ８５と回転できるように係合され、前記第一通路８４の末端には排水導管３３が密封して取付けられ、前記固定盤８０が前記固定スリーブ８３の頂端に位置し、前記固定盤８０の外側には前記第一歯車７１と噛み合える外リングギヤ８９が一つ設けられ、前記固定盤８０の中には上方に開口した排水溝８１が設けられ、前記排水溝８１の底壁には前記第一通路８４と連通する排水穴８２が設けられ、前記第一歯車７１の上方には二つの第三伝動チャンバ７２が左右対称的に設けられ、前記第三軸体６７が上へ前記第三伝動チャンバ７２の中に入り、前記第三伝動チャンバ７２の上下壁の間には第四軸体７４が回転できるように取付けられ、前記第四軸体７４と前記第三軸体６７の間にはベルト６８が伝動できるように取付けられ、前記第四軸体７４には第三歯車７３が設けられ、前記第一伝動チャンバ６２の頂壁には前記乾燥チャンバ１６と連通する移動溝口６６が設けられ、前記スライドブロック７６の左右両側の端面には前記第三歯車７３と噛み合うラックが設けられ、前記スライドブロック７６の底壁には前記第一基盤６３とスライドできるように係合されるスライド案内ブロック７８が左右対称のように設けられ、前記スライドブロック７６の中には前記排水穴８２と連通する排水通し溝７７が上下に貫通して設けられ、これにより底部の動力を上又は右へ伝達でき、右側の動力を第一基盤６３の回転する動力に転換し、第一基盤６３の動力をスライドブロック７６の往復運動の動力に転換する。
【００１４】
前記加速伝動部品９０５は、前記環状溝６４の右側に位置し、且つ前記環状溝６４と連通する第一加速チャンバ３４を含み、前記第一加速チャンバ３４の下方には第二加速チャンバ４１が設けられ、前記第二加速チャンバ４１の底壁の中には第三回転軸３７が回転できるように取付けられ、前記第三回転軸３７には前記第二リングギヤ６５と噛み合う第四歯車３５が設けられ、前記第三回転軸３７には第五歯車３６が設けられ、前記第二加速チャンバ４１の底壁の中に第四回転軸４３が回転できるように取付けられ、前記第四回転軸４３には前記第五歯車３６と噛み合う第六歯車３８が設けられ、前記第四回転軸４３の頂端には第四傘歯車４０が設けられ、前記第二加速チャンバ４１の右側には第四伝動チャンバ４６が設けられ、前記第四伝動チャンバ４６の右側壁の中には前記第二加速チャンバ４１の中に挿入される第五回転軸４４が回転できるように取付けられ、前記第五回転軸４４の左端面には前記第四傘歯車４０と噛み合う第五傘歯車４２が設けられ、前記第五回転軸４４において前記第四伝動チャンバ４６の中には鎖歯車４５が設けられ、これにより第一基盤６３の回転を右に伝達し、また伝達過程でスピードを上げる。
【００１５】
前記風吹き部品９０６は前記加熱チャンバ５１の上下壁の間に設置される加熱パイプ５２を含み、前記第二伝動チャンバ５０の右側壁の中には羽根軸５６が回転できるように取付けられ、前記羽根軸５６には羽根５５が設けられ、最底部の前記羽根軸５６と前記鎖歯車４５との間には第一チェーン４８が伝動できるように取付けられ、隣り合う前記羽根軸５６の間には第二チェーン５７が伝動できるように取付けられ、前記第二伝動チャンバ５０の右側壁には前記装置基盤１０の右端を貫通する空気入口５４が設けられ、前記乾燥チャンバ１６の左側壁には前記装置基盤１０の左端面を貫通する空気出口１５が前後対称のように設けられ、底部の前記空気入口５４の底壁の中には上へ前記装置基盤１０の頂端を貫通する濾過溝５８が設けられ、前記濾過溝５８の中には濾過網５３がスライドできるように取付けられ、これにより熱風を噴き、セーターを乾燥する。
【００１６】
乾燥する時、ハンガーを鉤２３に掛け、セーターの下方を広げて濾過網スリーブ９１に被せ、モータ２８を始動して両側の第一軸体２７を回転連動させ、左側の第一軸体２７が第一傘歯車２６を回転連動させ、第一傘歯車２６が噛合によって下傘歯車２４を回転連動させ、下傘歯車２４が第二回転軸１４とトップ傘歯車１２とを回転連動させ、トップ傘歯車１２が噛合によって左傘歯車１３と第二軸体１９とを回転連動させ、第二軸体１９が右傘歯車１８を回転連動させ、右傘歯車１８が噛合によって上傘歯車２０と上回転軸２１とを回転連動させ、上回転軸２１が鉤回転ブロック２２と鉤２３を回転連動させ、右側の第一軸体２７が第二傘歯車３９を回転連動させ、第二傘歯車３９が噛合によって第三傘歯車３１と第一回転軸３２とを回転連動させ、第一回転軸３２が第二歯車６０を回転連動させ、第二歯車６０が第一リングギヤ８６と回転スリーブ８５を回転連動させ、回転スリーブ８５が第一基盤６３を回転連動させ、第一基盤６３が二つの第三軸体６７と第一歯車７１を連動させて第一基盤６３の円心をめぐって回転させ、同時に第一基盤６３が第二リングギヤ６５を回転連動させ、この時、固定スリーブ８３が固定盤８０と固定され、左側の第一歯車７１と外リングギヤ８９とが噛み合った後に左側の第一歯車７１と第三軸体６７とを回転連動させ、左側の第三軸体６７が左側のベルト６８を伝動連動させ、左側のベルト６８が左側の第四軸体７４と第三歯車７３とを回転連動させ、左側の第三歯車７３が噛合によってスライドブロック７６を連動させて前へ移動させ、第一基盤６３が継続して回転するにつれて、右側の第一歯車７１が回転し始めてスライドブロック７６を連動させて後へ移動させ、同時に第一基盤６３がスライドブロック７６を回転連動させ、スライドブロック７６が濾過網スリーブ９１を回転連動させ、濾過網スリーブ９１と鉤２３との同期回転によってセーターが連動して回転し始め、セーターの中の水が濾過網スリーブ９１に沿って水遮り環状ブロック９２の内部チャンバの中に流れ込み、排水穴９５を通して排水チャンバ９７の中に入り、また一部の水が濾過網スリーブ９１を通り抜けて直接に固定板９３に落ちて排水チャンバ９７の中に入り、水が第二通路９８から排水通し溝７７の中に入った後に第一通路８４の中に入って排水導管３３から排出され、同時にスライドブロック７６が往復スライドし始め、セーターを連れて往復移動させ、セーターを振らせ、第二リングギヤ６５が噛合によって第四歯車３５を加速して回転連動させ、第四歯車３５が第三回転軸３７と第五歯車３６を回転連動させ、第五歯車３６が噛合によって第六歯車３８と第四回転軸４３とを連動させて加速回転させ、第六歯車３８が第四傘歯車４０を回転連動させ、第四傘歯車４０が噛合によって第五傘歯車４２を回転連動させ、第五傘歯車４２が第五回転軸４４と鎖歯車４５とを回転連動させ、加熱パイプが通電して熱を生じ、鎖歯車４５が第一チェーン４８を伝動連動させ、第一チェーン４８が底部の羽根軸５６を連動させて回転させ始め、底部の羽根軸５６が底部の第二チェーン５７を連動させて伝動させ、第二チェーン５７が他の羽根軸５６を回転連動させ、羽根軸５６が羽根５５を回転連動させ、空気を空気入口５４から吸い込んで濾過網５３の濾過と加熱パイプ５２の加熱を経って乾燥チャンバ１６の中に吹き込み、セーターの回転と移動に合わせてセーターを振らせて乾燥する。
【００１７】
本発明の有益効果は：作動動力がモータによって提供され、セーターの上部を第一回転装置に掛け、下部を第二回転装置によって支え、セーターに含まれる水分の重力によってセーターが下へ引っ張られて変形することを防止し、乾燥する時、セーターが絶えずに回転すると同時に振り続き、乾燥過程中にセーターが固くなることを防止し、乾燥後のセーターが変形しない上に、柔らかくて、乾燥時間も短く、宣伝価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。